(57)【特許請求の範囲】
【請求項１】
テレビジョン信号を入力し、波形等化処理を行って出力する波形等化装置において、
プログラムによりタップ係数を設定可能であり、上記設定されたタップ係数によって入力テレビジョン信号を加工する、複数のトランスバーサルフィルタと、
上記複数の各トランスバーサルフィルタの出力する信号を入力信号とし、該入力信号の振幅を変更して出力する、複数の乗算器と、
上記複数の乗算器の出力する信号を入力信号とし、該入力信号を遅延させて出力する、複数の遅延素子と、
上記入力テレビジョン信号と、上記複数の遅延素子の出力する信号とを加算して、出力テレビジョン信号を生成する加算手段とを備え、
上記乗算器の数と上記遅延素子の数は、同数であり、
上記トランスバーサルフィルタの数は、上記乗算器及び上記遅延素子の数より少ない、ことを特徴とする波形等化装置。
【請求項２】
テレビジョン信号を入力し、波形等化処理を行って出力する波形等化装置において、
プログラムによりタップ係数を設定可能であり、上記設定されたタップ係数によって入力テレビジョン信号を加工する、複数のトランスバーサルフィルタと、
上記複数の各トランスバーサルフィルタの出力する信号を入力信号とし、該入力信号を遅延させて出力する、複数の遅延素子と、
上記複数の遅延素子の出力する信号を入力信号とし、該入力信号の振幅を変更して出力する、複数の乗算器と、
上記入力テレビジョン信号と、上記複数の乗算器の出力する信号とを加算して、出力テレビジョン信号を生成する加算手段とを備え、
上記遅延素子の数と上記乗算器の数は、同数であり、
上記トランスバーサルフィルタの数は、上記遅延素子及び上記乗算器の数より少ない、ことを特徴とする波形等化装置。
【請求項３】
テレビジョン信号を入力し、波形等化処理を行って出力する波形等化装置において、
プログラムによりタップ係数を設定可能であり、上記設定されたタップ係数によって入力テレビジョン信号を加工する、複数のトランスバーサルフィルタと、
読出しアドレスを独自に設定できる読出しポートを複数持ち、上記複数の各トランスバーサルフィルタの出力する信号を入力して記憶する、複数の信号記憶手段と、
上記複数の各信号記憶手段のいずれかの読出しポートより読み出した信号を入力信号とし、該入力信号の振幅を変更して出力可能な複数の乗算器と、
上記入力テレビジョン信号と、上記複数の乗算器の出力する信号とを加算して、出力テレビジョン信号を生成する加算手段とを備え、
上記トランスバーサルフィルタの数は、上記信号記憶手段と同数であって、上記乗算器の数より少ない、ことを特徴とする波形等化装置。
【請求項４】
請求項１ないし３のいずれかに記載の波形等化装置において、
上記乗算器は、プログラムにより係数を設定可能なものであり、上記設定された係数により、入力信号の振幅を変更するものであることを特徴とする波形等化装置。
【請求項５】
請求項１または２に記載の波形等化装置において、
上記遅延素子は、プログラムにより遅延時間を設定可能なものであり、上記設定された遅延時間により、入力信号を遅延させるものであることを特徴とする波形等化装置。
【請求項６】
請求項１に記載の波形等化装置において、
上記入力テレビジョン信号を変換する入力信号変換手段をさらに備え、
上記加算手段は、
上記入力信号変換手段の出力と、上記複数の遅延素子の出力とを加算して、出力テレビジョン信号を生成するものであることを特徴とする波形等化装置。
【請求項７】
請求項２または３に記載の波形等化装置において、
上記入力テレビジョン信号を変換する入力信号変換手段をさらに備え、
上記加算手段は、
上記入力信号変換手段の出力と、上記複数の乗算器の出力とを加算して、出力テレビジョン信号を生成するものであることを特徴とする波形等化装置。
【請求項８】
請求項６または７に記載の波形等化装置において、
上記入力信号変換手段は、
入力テレビジョン信号を入力信号とし、該入力信号を遅延させて出力する入力信号用遅延素子を備えたものであることを特徴とする波形等化装置。
【請求項９】
請求項６または７に記載の波形等化装置において、
上記入力信号変換手段は、
上記入力テレビジョン信号を入力信号とし、該入力信号の振幅を変更して出力する入力信号用乗算器を備えたものであることを特徴とする波形等化装置。
【請求項１０】
請求項６または７に記載の波形等化装置において、
上記入力信号変換手段は、
入力信号の振幅を変更して出力する入力信号用乗算器と、入力信号を遅延させて出力する入力信号用遅延素子とを備えたものであることを特徴とする波形等化装置。
【請求項１１】
請求項１０に記載の波形等化装置において、
上記入力信号用乗算器は、
上記入力テレビジョン信号を入力信号とし、該入力信号の振幅を変更して出力するものであり、
上記入力信号用遅延素子は、
上記入力信号用乗算器の出力する信号を入力信号とし、該入力信号を遅延させて出力するものであることを特徴とする波形等化装置。
【請求項１２】
請求項１０に記載の波形等化装置において、
上記入力信号用遅延素子は、
上記入力テレビジョン信号を入力信号とし、該入力信号を遅延させて出力するものであり、
上記入力信号用乗算器は、
上記入力信号用遅延素子の出力する信号を入力信号とし、該入力信号の振幅を変更して出力するものであることを特徴とする波形等化装置。
【請求項１３】
請求項８、１０、１１、あるいは１２のいずれかに記載の波形等化装置において、
上記入力信号用遅延素子は、プログラムにより遅延時間を設定可能なものであり、上記設定された遅延時間により、入力信号を遅延させるものであることを特徴とする波形等化装置。
【請求項１４】
請求項９、１０、１１、あるいは１２のいずれかに記載の波形等化装置において、
上記入力信号用乗算器は、プログラムにより係数を設定可能なものであり、上記設定された係数により、入力信号の振幅を変更するものであることを特徴とする波形等化装置。
【請求項１５】
請求項１ないし１４のいずれかに記載の波形等化装置において、
上記加算手段の出力する出力テレビジョン信号を入力信号とし、該入力信号に対して波形等化処理を行って出力する出力信号用ディジタルフィルタをさらに備えたものであることを特徴とする波形等化装置。
【発明の詳細な説明】
【０００１】
【発明の属する技術分野】
本発明は、波形等化装置に関し、特にトランスバーサルフィルタと、ディジタルフィルタとを備えた波形等化装置に関する。
【０００２】
【従来の技術】
近年、大型ビルや高速道路等の大規模建造物が増加し、テレビジョン信号等の電波信号の送受信のための環境は都市部を中心に悪化しており、ゴースト発生等のトラブルも増加し、画質の低下が問題となっている。
【０００３】
テレビジョン信号受信に伴うトラブルについては、伝送路による波形歪みや、電波が建造物等で反射することが原因となるゴースト等が複合して発生することが多い。ゴーストには、本来の主映像に近接して発生する近接ゴーストと、比較的遅延時間の大きな通常ゴーストとがある。一般には、近接ゴースト、通常ゴーストとも主映像に比べてＳ／Ｎ比が悪いことから、正の遅延時間を有する（主映像より遅延する）ものであることが多いが、主映像を伝送する伝送路の品質が悪く主映像のＳ／Ｎ比が悪い場合には、ゴーストの信号のＳ／Ｎ比が主映像のＳ／Ｎ比を上回ることにより、負の遅延時間を持つゴーストとなることもあり、除去にあたっては配慮が必要となる。
【０００４】
これらのトラブルに対して、信号に対して伝送路で重畳された波形歪みを信号処理により低減する波形等化処理を行う波形等化装置が用いられる。テレビジョン信号処理に用いられる波形等化装置としては、主として近接ゴーストや波形歪みを除去するトランスバーサルフィルタや、主として通常ゴーストを除去するディジタルフィルタを組み合わせたものが用いられる。
【０００５】
トランスバーサルフィルタは、乗算器と加算器を有して信号処理を行うタップを複数備えたものであり、各タップごとにタップ係数を設定し、タップ係数に応じて信号変換を行うものであり、又、ディジタルフィルタはタップを有する構成であったり、あるいは乗算器と加算器、及び遅延素子やメモリ等を組み合わせた構成によって、信号変換を行うものである。これらトランスバーサルフィルタやディジタルフィルタは、さまざまなゴースト等に対応して、ゴーストや波形歪みと同一遅延、同一振幅で逆位相の疑似信号を発生することにより、ゴーストや波形歪みを除去し得るものである。
【０００６】
以下に従来の波形等化装置について説明する。従来の波形等化装置の基本構成を図１１に示す。図において、９０１はトランスバーサルフィルタ（以下、ＴＦと略記する）であり、入力テレビジョン信号Ｓ９２１の波形等化処理を行ない、テレビジョン信号Ｓ９２２を生成する。ＴＦ９０１については、各タップ係数は８から１０ビット程度であり、一般的に５０タップ程度で構成される。９０２はディジタルフィルタであり、入力するテレビジョン信号Ｓ９２３を加工し、出力テレビジョン信号Ｓ９２４を生成する。ディジタルフィルタ９０２については、各タップ係数は８から１０ビット程度であり、一般的に１００から５００タップ程度で構成される。９０３は加算器であり、入力テレビジョン信号Ｓ９２１と、ＴＦ９０１が出力するテレビジョン信号Ｓ９２２とを加算して、テレビジョン信号Ｓ９２３を生成する。なお、波形等化装置の構成としては、通常タップ係数設定等を行う制御部を有するものであるが、ここでは省略する。
【０００７】
以上のように構成された波形等化装置について、その動作を説明する。図１２は、図１１に示す波形等化装置の各部におけるテレビジョン信号を示す。図１２において、縦軸は信号の振幅を表し、横軸は信号の遅延時間を表す。縦軸正方向には本来の歪みのないテレビジョン信号である主信号（主映像）、および、主信号に伴う波形歪みやゴーストなどの伝送歪みの信号成分を示す。縦軸負方向には、ＴＦ９０１、あるいは、ディジタルフィルタ９０２によって発生した信号成分を示す。
【０００８】
図１２（ａ）のように本来、ほとんど主信号のみとして発信された信号は、上記のような要因により、受信される際には波形歪みやゴーストを含み、図１２（ｂ）のようなものとなってしまう。
まず、図１２（ｂ）に示す入力テレビジョン信号Ｓ９２１が、装置に入力され、ＴＦ９０１に入力される。ＴＦ９０１は、タップ係数設定により、主映像に重畳されている波形歪みと近接ゴーストに関して、各々の近接ゴーストや波形歪みと同一遅延、同一振幅で逆位相の疑似ゴーストを発生する。これにより、ＴＦ９０１で発生した疑似ゴーストである信号Ｓ９２２を図１２（ｃ）に示す。ＴＦ９０１は、疑似ゴースト信号Ｓ９２２を加算器９０３に出力する。
【０００９】
加算器９０３において、入力信号Ｓ９２１と、ＴＦ９０１の出力する疑似ゴースト信号Ｓ９２２とが加算されると、図１２（ｂ）で示す入力テレビジョン信号Ｓ９２１に含まれる近接ゴーストや波形歪みと、図１２（ｃ）で示すＴＦ９０１で発生した疑似ゴーストＳ９２２とが互いに打ち消し合う。この結果、加算器９０３からは、入力テレビジョン信号Ｓ９２１の有した近接ゴーストや波形歪みが低減した、図１２（ｄ）に示す信号Ｓ９２３が出力される。
【００１０】
ディジタルフィルタ９０２は、タップ係数設定により、図１２（ｄ）に示す入力テレビジョン信号Ｓ９２３に重畳されている通常ゴーストに関し、各々の通常ゴーストと同一遅延、同一振幅で逆位相の疑似ゴーストを発生する。ディジタルフィルタ９０２で発生する疑似ゴースト信号を図１２（ｅ）に示す。ディジタルフィルタ９０２は加算器を内包したものであり、加算器において入力信号Ｓ９２３と、発生する疑似ゴースト信号とを加算すると、図１２（ｄ）の信号Ｓ９２３の通常ゴーストと図１２（ｅ）の疑似ゴーストとが互いに打ち消し合う。これにより、ディジタルフィルタは、図１２（ｄ）に示す入力された信号Ｓ９２３の通常ゴーストを低減し、図１２（ａ）の本来の信号に近い、図１２（ｆ）に示す出力テレビジョン信号Ｓ９２４を生成する。
【００１１】
このように、ＴＦ９０１とディジタルフィルタ９０２を用いることにより、図１２（ｂ）に示す波形歪みやゴーストが重畳された入力テレビジョン信号を、図１２（ｆ）に示す波形歪みやゴーストが低減された出力テレビジョン信号Ｓ９２４とすることができる。
【００１２】
図１３は入力テレビジョン信号Ｓ９２１と出力テレビジョン信号Ｓ９２４とによる映像の一例である。図１３（ａ）に示すようなゴーストが重畳されていた入力テレビジョン信号Ｓ９２１は、ＴＦ９０１、およびディジタルフィルタ９０２を用いて波形等化処理を行なうことにより、ゴーストや波形歪みが除去され図１３（ｂ）に示すようなゴーストのない出力テレビジョン信号Ｓ９２４となる。
【００１３】
以上のように、従来の波形等化装置は、ＴＦ９０１とディジタルフィルタ９０２とを備え、テレビジョン信号を処理して、ゴーストや波形歪みのない出力テレビジョン信号を得ることができる。
【００１４】
【発明が解決しようとする課題】
前述のように、近年テレビジョン受信環境が悪化し、ゴースト等のトラブルが増加していることから、かかるトラブルに対応するため、テレビジョン受信機等での波形等化装置の使用が一般化してきている。また、画面の大型化や、ハイビジョン放送による画面の高精細化にともない、波形等化技術の重要性も増大している。１９９５年から開始された第２世代ＥＤＴＶ放送に関しても同様である。かかる事情から、テレビジョン受信機等に使用する波形等化装置については、受信状況が悪化する中、上記のようにさらなる高性能が求められる一方、普及を進めるためには開発、及び製造のコスト削減が必須である。
【００１５】
しかしながら、従来の波形等化装置は、ハードウェア規模が大きく、このことがコスト増加の要因となっている。すなわち、従来の装置におけるトランスバーサルフィルタは上記のように、一般的に５０タップ程度で構成され、各タップ係数は８から１０ビット程度である。ここでタップ係数のビット数が大きいことは、乗算器、加算器からなるタップの回路規模が大きいということを意味する。また、従来の装置におけるディジタルフィルタについては、一般的に１００から５００タップ程度で構成され、各タップ係数は８から１０ビット程度である。
【００１６】
これは、従来の波形等化装置では、さまざまな信号を生成するために、多数のタップを備えたＴＦ、およびディジタルフィルタを用いることによるので、高性能化を図る、すなわち種々のトラブルに良く対応しようとするほど、このためコストが増大することとなる。しかも従来の装置においては、多数のタップを備えているにもかかわらず、信号処理時に実際にタップ係数を設定するのは、疑似ゴーストを発生するために使用する一部のタップのみであり、常に大多数のタップは使用されていない状態におかれる。すなわち、従来の波形等化装置では、装置資源の有効な活用がなされていないのが一般的な状況である。
【００１７】
本発明は、かかる問題点に鑑みてなされたもので、トランスバーサルフィルタ、およびディジタルフィルタのタップ数を低減し、装置規模の小型化によりコストを削減し、かつ、装置資源を活かした効率的な処理を行うことにより良好な画質向上効果の得られる波形等化装置を提供することを目的としている。
【００１８】
【課題を解決するための手段】
上記目的を達成するため、本発明の請求項１にかかる波形等化装置は、テレビジョン信号を入力し、波形等化処理を行って出力する波形等化装置において、プログラムによりタップ係数を設定可能であり、上記設定されたタップ係数によって入力テレビジョン信号を加工する、複数のトランスバーサルフィルタと、上記複数の各トランスバーサルフィルタの出力する信号を入力信号とし、該入力信号の振幅を変更して出力する、複数の乗算器と、上記複数の乗算器の出力する信号を入力信号とし、該入力信号を遅延させて出力する、複数の遅延素子と、上記入力テレビジョン信号と、上記複数の遅延素子の出力する信号とを加算して、出力テレビジョン信号を生成する加算手段とを備え、上記乗算器の数と上記遅延素子の数は、同数であり、上記トランスバーサルフィルタの数は、上記乗算器及び上記遅延素子の数より少ないものである。
【００２１】
また、請求項２にかかる波形等化装置は、テレビジョン信号を入力し、波形等化処理を行って出力する波形等化装置において、プログラムによりタップ係数を設定可能であり、上記設定されたタップ係数によって入力テレビジョン信号を加工する、複数のトランスバーサルフィルタと、上記複数の各トランスバーサルフィルタの出力する信号を入力信号とし、該入力信号を遅延させて出力する、複数の遅延素子と、上記複数の遅延素子の出力する信号を入力信号とし、該入力信号の振幅を変更して出力する、複数の乗算器と、上記入力テレビジョン信号と、上記複数の乗算器の出力する信号とを加算して、出力テレビジョン信号を生成する加算手段とを備え、上記遅延素子の数と上記乗算器の数は、同数であり、上記トランスバーサルフィルタの数は、上記遅延素子及び上記乗算器の数より少ないものである。
【００２２】
また、請求項３にかかる波形等化装置は、テレビジョン信号を入力し、波形等化処理を行って出力する波形等化装置において、プログラムによりタップ係数を設定可能であり、上記設定されたタップ係数によって入力テレビジョン信号を加工する、複数のトランスバーサルフィルタと、読出しアドレスを独自に設定できる読出しポートを複数持ち、上記複数の各トランスバーサルフィルタの出力する信号を入力して記憶する、複数の信号記憶手段と、上記複数の各信号記憶手段のいずれかの読出しポートより読み出した信号を入力信号とし、該入力信号の振幅を変更して出力可能な複数の乗算器と、上記入力テレビジョン信号と、上記複数の乗算器の出力する信号とを加算して、出力テレビジョン信号を生成する加算手段とを備え、上記トランスバーサルフィルタの数は、上記信号記憶手段と同数であって、上記乗算器の数より少ないものである。
【００２３】
また、請求項４にかかる波形等化装置は、請求項１ないし３のいずれかに記載の装置において、上記乗算器が、プログラムにより係数を設定可能であり、上記設定された係数により、入力信号の振幅を変更するものである。
【００２４】
また、請求項５にかかる波形等化装置は、請求項１または２に記載の装置において、上記遅延素子が、プログラムにより遅延時間を設定可能であり、上記設定された遅延時間により、入力信号を遅延させるものである。
【００２５】
また、請求項６にかかる波形等化装置は、請求項１に記載の装置において、上記入力テレビジョン信号を変換する入力信号変換手段をさらに備え、上記加算手段が、上記入力信号変換手段の出力と、上記複数の遅延素子の出力とを加算して、出力テレビジョン信号を生成するものである。
また、請求項７にかかる波形等化装置は、請求項２または３に記載の波形等化装置において、上記入力テレビジョン信号を変換する入力信号変換手段をさらに備え、上記加算手段は、上記入力信号変換手段の出力と、上記複数の乗算器の出力とを加算して、出力テレビジョン信号を生成するものである。
【００２６】
また、請求項８にかかる波形等化装置は、請求項６または７に記載の装置において、上記入力信号変換手段が、入力テレビジョン信号を入力信号とし、該入力信号を遅延させて出力する入力信号用遅延素子を備えたものである。
【００２７】
また、請求項９にかかる波形等化装置は、請求項６または７に記載の装置において、上記入力信号変換手段が、上記入力テレビジョン信号を入力信号とし、該入力信号の振幅を変更して出力する入力信号用乗算器を備えたものである。
【００２８】
また、請求項１０にかかる波形等化装置は、請求項６または７に記載の装置において、上記入力信号変換手段が、入力信号の振幅を変更して出力する入力信号用乗算器と、入力信号を遅延させて出力する入力信号用遅延素子とを備えたものである。
【００２９】
また、請求項１１にかかる波形等化装置は、請求項１０に記載の装置において、上記入力信号用乗算器が、上記入力テレビジョン信号を入力信号とし、該入力信号の振幅を変更して出力するものであり、上記入力信号用遅延素子が、上記入力信号用乗算器の出力する信号を入力信号とし、該入力信号を遅延させて出力するものである。
【００３０】
また、請求項１２にかかる波形等化装置は、請求項１０に記載の装置において、上記入力信号用遅延素子が、上記入力テレビジョン信号を入力信号とし、該入力信号を遅延させて出力するものであり、上記入力信号用乗算器が、上記入力信号用遅延素子の出力する信号を入力信号とし、該入力信号の振幅を変更して出力するものである。
【００３１】
また、請求項１３にかかる波形等化装置は、請求項８、１０、１１、あるいは１２のいずれかに記載の装置において、上記入力信号用遅延素子が、プログラムにより遅延時間を設定可能であり、上記設定された遅延時間により、入力信号を遅延させるものである。
【００３２】
また、請求項１４にかかる波形等化装置は、請求項９、１０、１１、あるいは１２のいずれかに記載の装置において、上記入力信号用乗算器が、プログラムにより係数を設定可能であり、上記設定された係数により、入力信号の振幅を変更するものである。
【００３３】
また、請求項１５にかかる波形等化装置は、請求項１ないし１４のいずれかに記載の装置において、上記加算手段の出力する出力テレビジョン信号を入力信号とし、該入力信号に対して波形等化処理を行って出力する出力信号用ディジタルフィルタをさらに備えたものである。
【００３４】
【発明の実施の形態】
実施の形態１．
本発明の実施の形態１による波形等化装置は、トランスバーサルフィルタと、乗算器、及び遅延素子からなるディジタルフィルタを有するものである。
図１は本実施の形態１による波形等化装置の構成を示すブロック図である。図１において、１０１〜１０３はＴＦ（トランスバーサルフィルタ）であり、入力テレビジョン信号を加工する。ＴＦ１０１〜１０３は、各タップ係数が８ビットの１０タップを有する。１０４〜１１０は乗算器であり、プログラムにより得られる係数を乗数として、入力信号の振幅を変更する。１１１〜１１７は遅延素子であり、プログラムにより得られる遅延時間だけ、入力信号を遅延させて出力する。乗算器と遅延素子とは、ＴＦの出力を変換するディジタルフィルタとして機能する。１１８〜１２０は加算器であり、入力信号全てを加算して出力する。
【００３５】
図２は本実施の形態１の波形等化装置における信号を示す図である。従来例において説明した図１２（ａ）〜（ｆ）と同様に、図２において、縦軸は信号の振幅を、横軸は信号の遅延時間を表し、縦軸正方向には本来の歪みのないテレビジョン信号である主信号（主映像）、および、波形歪みやゴーストなどの伝送歪みの信号成分を、縦軸負方向には、ＴＦ１０１〜１０３で発生した信号成分を示す。  以下に本実施の形態の装置の動作を図１、および図２を用いて説明する。
ここでは、図２（ａ）に示すゴーストや波形歪みのないテレビジョン信号が、伝送時にゴーストや波形歪みを付加され、図２（ｂ）に示すテレビジョン信号となった場合の動作例を示す。
【００３６】
図２（ｂ）において、波形歪み１は伝送路で付加された波形歪みである。近接ゴースト１、２は近接部に付加されたゴーストであり、振幅はそれぞれ−１５ｄＢと−２５ｄＢであり、遅延時間はそれぞれ−０．３ｕｓ（マイクロ秒）と０．３ｕｓであり、位相はそれぞれ１０°と２２０°である。通常ゴースト１〜５は比較的遅延時間の大きいゴーストであり、振幅はそれぞれ、−１５ｄＢ、−２１ｄＢ、−２０ｄＢ、−２７ｄＢ、−１４ｄＢであり、遅延時間はそれぞれ７ｕｓ、１０ｕｓ、１５ｕｓ、２０ｕｓ、２３ｕｓであり、位相はそれぞれ５°、−１０°、９０°、５°、８５°である。
【００３７】
まず、図２（ｂ）に示す入力テレビジョン信号Ｓ１５１が、装置に入力され、加算器１２０と、ＴＦ１０１〜１０３にそれぞれ入力される。
【００３８】
信号Ｓ１５１を入力されるＴＦ１０１は、タップ係数設定により、図２（ｂ）に示す入力テレビジョン信号Ｓ１５１に重畳されている波形歪み１と近接ゴースト２に関し、同一遅延、同一振幅で逆位相の疑似ゴースト信号を発生する。ＴＦ１０１で発生する疑似ゴースト信号Ｓ１５２を図２（ｃ）に示す。ＴＦ１０１は信号Ｓ１５２を、乗算器１０４と、遅延素子１１１とで構成されるディジタルフィルタ部分に出力する。
【００３９】
乗算器１０４については係数を１に、遅延素子１１１については、遅延時間を０ｕｓに設定する。これにより、入力された信号Ｓ１５２は振幅、遅延時間とも変換を受けず、出力される信号Ｓ１５５はＴＦ１０１で発生した疑似ゴースト信号そのままとなり、図２（ｆ）に示す疑似ゴースト信号となる。信号Ｓ１５５は加算器１２０に出力される。
【００４０】
一方、信号Ｓ１５１を入力されるＴＦ１０２は、タップ係数設定により、図２（ｂ）に示す入力テレビジョン信号Ｓ１５１に重畳されている通常ゴースト１と同一振幅で逆位相の疑似ゴーストである振幅−１５ｄＢ、位相１８０°の疑似ゴースト信号を発生する。ＴＦ１０２で発生する疑似ゴースト信号Ｓ１５３を図２（ｄ）に示す。ＴＦ１０２は、信号Ｓ１５３を、乗算器１０５〜１０８と、遅延素子１１２〜１１５とで構成されるディジタルフィルタ部分に出力する。
乗算器１０５〜１０８の係数をそれぞれ１、１／２、１／４、０に設定する。また、遅延素子１１２〜１１４の遅延時間をそれぞれ７ｕｓ、１０ｕｓ、２０ｕｓに設定する。
【００４１】
ＴＦ１０２で発生した疑似ゴースト信号Ｓ１５３を入力信号とし、乗算器１０５から遅延素子１１２を経て出力される信号Ｓ１５６は、信号Ｓ１５３に対して振幅は不変とし、７ｕｓ遅延させた信号なので、図２（ｇ）に示す疑似ゴースト信号となる。同様に、乗算器１０６から遅延素子１１３を経たＳ１５７は、Ｓ１５３に対し、振幅１／２倍、遅延１０ｕｓの、図２（ｈ）に示す疑似ゴースト信号、乗算器１０７から遅延素子１１４を経たＳ１５８はＳ１５３に対し振幅１／４倍、遅延２０ｕｓの、図２（ｉ）に示す疑似ゴースト信号である。乗算器１０８については、係数を０に設定しているため、Ｓ１５９は振幅０の信号となり、図２（ｊ）に示す信号となる。それぞれ変換された信号Ｓ１５６〜Ｓ１５８は、加算器１１８で合成された上で加算器１２０に出力される。
【００４２】
また、信号Ｓ１５１を入力されるＴＦ１０３は、タップ係数設定により、図２（ｂ）に示す入力テレビジョン信号Ｓ１５１に重畳されている通常ゴースト３と同一振幅で逆位相の疑似ゴーストである振幅−２０ｄＢ、位相２７０°の疑似ゴーストを発生する。ＴＦ１０３で発生する疑似ゴースト信号Ｓ１５４を図２（ｅ）に示す。ＴＦ１０３は、信号Ｓ１５４を、乗算器１０９〜１１０と、遅延素子１１６〜１１７とで構成されるディジタルフィルタ部分に出力する。
【００４３】
乗算器１０９〜１１０の係数をそれぞれ１、２に、遅延素子１１６〜１１７の遅延時間をそれぞれ１５ｕｓ、２３ｕｓに設定する。乗算器１０９から遅延素子１１６を経た信号はＳ１５４に対し、振幅が不変で、遅延１５ｕｓの、図２（ｋ）に示す疑似ゴースト信号Ｓ１６０となる。乗算器１１０から遅延素子１１７を経た信号は、振幅が２倍で、遅延２３ｕｓの、図２（ｌ）に示す疑似ゴースト信号Ｓ１６１となる。それぞれ変換された信号Ｓ１６０〜Ｓ１６１は、加算器１１９で合成された上で加算器１２０に出力される。
【００４４】
加算器１２０では、入力テレビジョン信号Ｓ１５１と、疑似ゴースト信号１５５、疑似ゴースト信号Ｓ１５６〜Ｓ１５９の合成信号、疑似ゴースト信号Ｓ１６０、およびＳ１６１の合成信号を全て加算する。
【００４５】
すると、図２（ｂ）で示す入力テレビジョン信号Ｓ１５１の波形歪み１と近接ゴースト２は、疑似ゴースト信号Ｓ１５５と互いに打ち消し合う。これにより、入力テレビジョン信号Ｓ１５１の波形歪み１と近接ゴースト２を低減する。また、Ｓ１５１の通常ゴースト１とＳ１５６、通常ゴースト２とＳ１５７、および、通常ゴースト４とＳ１５８が各々互いに打ち消し合う。これにより、入力テレビジョン信号Ｓ１５１の通常ゴースト１、２、４を低減する。さらに、Ｓ１５１の通常ゴースト３とＳ１６０、および、通常ゴースト５とＳ１６１が各々互いに打ち消し合う。これにより、Ｓ１５１の通常ゴースト３、５を低減する。よって、Ｓ１５５〜Ｓ１６１の疑似ゴースト信号を、入力テレビジョン信号Ｓ１５１に加算することにより、波形歪みやゴーストを低減し、図２（ａ）に近いテレビジョン信号である、波形歪みやゴーストを低減した図２（ｍ）のテレビジョン信号Ｓ１６２を出力する。
【００４６】
本実施の形態１による波形等化装置についても、図１１に示した従来例の装置と同様、処理した出力テレビジョン信号Ｓ１６２は、図１３（ｂ）のような映像となり、同図（ａ）のような入力テレビジョン信号Ｓ１５１の映像に比べて大幅にゴーストや波形歪みが改善されたものとなる。
【００４７】
このように、本実施の形態１による波形等化装置では、プログラムによりタップ係数を設定可能なＴＦと、プログラムにより乗算係数を設定可能な乗算器と、プログラムにより遅延時間を設定可能な遅延素子とを備えたことにより、１個のＴＦで発生した疑似ゴースト信号に対して、乗算器と遅延素子とにより、振幅と遅延時間とを変換して用いることで、加算器において入力テレビジョン信号と加算処理される際に複数のゴーストを低減するために使用できる。各ＴＦについては、各タップのビット幅については、従来と同様８ビットであるが、各ＴＦの有するタップ数は１個のゴーストを消すのに十分な数であれば良い。その結果、たかだか合計３０タップのＴＦで、ゴーストや波形歪みを低減したテレビジョン信号が得られる。従来、数百タップを用いていたＴＦに比べ、ＴＦのタップ数を削減し、コストを削減して、同等の効果を得ている。
【００４８】
また、本実施の形態１における説明に用いた図２（ｂ）のテレビジョン信号は、入力テレビジョン信号の一例であり、異なる信号が用いられる場合、各ＴＦのタップ係数の設定、各遅延素子の遅延時間の設定、および、各乗算器の係数の設定は異なる。本実施の形態１の例では、最も多くのゴーストに共通の位相と逆位相の疑似ゴーストをＴＦ１０２で発生させることにより、効率の良いゴースト除去が可能となる。よって、入力テレビジョン信号が図２（ｂ）と異なる場合は、最も多くのゴーストに共通の位相と逆位相の疑似ゴーストをＴＦ１０２で発生させ、次に頻度の高い位相のゴーストと逆位相の疑似ゴーストをＴＦ１０３で発生させるよう制御を行なうことにより、効率の良いゴースト除去が可能となる。
【００４９】
また、本実施の形態１の構成では、ＴＦ数を３としたが、ＴＦ数を増加させるほど等化性能を向上する。よって、用途や目的に合わせてＴＦ数や遅延素子数、乗算器数等は変化させるべきである。このように、本実施の形態１におけるＴＦ数、遅延素子数、乗算器数、ＴＦのタップ長やタップ係数のビット幅等の定数は例示した値に限定されるものではない。
【００５０】
実施の形態２．
図３は本発明の実施の形態２による波形等化装置の構成を示すブロック図である。図３に示すように、乗算器１０４〜１１０と遅延素子１１１〜１１７とが入れ替わった構成となっている点のみが実施の形態１と異なる。
【００５１】
本実施の形態２の装置の動作については、各ＴＦ１０１〜１０３より出力された疑似ゴースト信号Ｓ１５２〜Ｓ１５４が、まず遅延素子１１１〜１１７に入力され、次に乗算器１０４〜１１０に入力される点のみ実施の形態１と異なるが、乗算器１０４〜１１０より出力される信号Ｓ１５５〜Ｓ１６１については、実施の形態１で遅延素子１１１〜１１７より出力される信号と同じであり、他の動作についても実施の形態１と同じものとなる。
このように、本実施の形態２の構成としても、実施の形態１と同様の効果が得られ、低コストで効率的に処理を行う波形等化装置となる。
【００５２】
実施の形態３．
本発明の実施の形態３による波形等化装置は、トランスバーサルフィルタと、メモリ、及び乗算器からなるディジタルフィルタを有するものである。
【００５３】
図４は本実施の形態３における波形等化装置の構成を示すブロック図である。図４において、１０１〜１１０、および、１１８〜１２０は図１と同じであり、その説明は実施の形態１と同様であるので省略する。３０１〜３０３はメモリであり、ＴＦ１０１〜１０３の出力を一時的に記憶する。メモリ３０１は１個の読出しポートと、１個の書込みポートとを、メモリ３０２は４個の読出しポートと、１個の書込みポートとを、メモリ３０３は２個の読出しポートと、１個の書込みポートとを有するものであり、読み出しポートについては、複数を有してもそれぞれについて独立にアドレスを指定可能なものである。各メモリ３０１〜３０３は、書き込みアドレスと読みだしアドレスを制御することにより、入力信号の遅延用に用いる。
【００５４】
図５は本実施の形態３の波形等化装置における信号を示す図である。縦横両軸や信号の表記については、実施の形態１の図２と同様である。
以下に、本実施の形態３の波形等化装置の動作を図４、及び５を用いて説明する。実施の形態１と同様、本来の図５（ａ）に示すゴーストや波形歪みのないテレビジョン信号が、伝送時にゴーストや波形歪みを付加され、図５（ｂ）に示すテレビジョン信号となり、装置に入力されるものとする。図５（ｂ）の波形歪みとゴーストは図２（ｂ）の波形歪みとゴーストと同じであり、各特性値としては実施の形態１の数値を用いる。
【００５５】
まず、図５（ｂ）に示す入力テレビジョン信号Ｓ１５１が、装置に入力され、加算器１２０と、ＴＦ１０１〜１０３にそれぞれ入力される。
【００５６】
信号Ｓ１５１を入力されるＴＦ１０１は、タップ係数設定により、図５（ｂ）に示す入力テレビジョン信号Ｓ１５１に重畳されている波形歪み１と近接ゴースト２に関し、同一遅延、同一振幅で逆位相の疑似ゴースト信号を発生する。ＴＦ１０１で発生する疑似ゴースト信号Ｓ１５２を図５（ｃ）に示す。ＴＦ１０１は信号Ｓ１５２を、メモリ３０１と、乗算器１０４とで構成されるディジタルフィルタ部分に出力する。
【００５７】
メモリ３０１へのデータの書き込み・読み出し制御については、入力信号Ｓ１５２から出力信号Ｓ３５１への遅延が０ｕｓとなるように設定されてあり、これに従って信号Ｓ１５２を書き込んだデータはメモリからそのまま読み出されて信号Ｓ３５１となる。信号Ｓ３５１は図５（ｆ）に示されるものである。乗算器１０４については、係数を１に設定する。従って、乗算器１０４による振幅の変化はなく、出力される信号Ｓ１５５はＴＦ１０１で発生した疑似ゴースト信号Ｓ１５２そのままであり、図５（ｇ）に示す信号となる。信号Ｓ１５５は加算器１２０に出力される。
【００５８】
一方、信号Ｓ１５１を入力されるＴＦ１０２は、タップ係数設定により、図５（ｂ）に示す入力テレビジョン信号Ｓ１５１に重畳されている通常ゴースト１と同一振幅で逆位相の疑似ゴーストである振幅−１５ｄＢ、位相１８０°の疑似ゴースト信号を発生する。ＴＦ１０２で発生する疑似ゴースト信号Ｓ１５３を図５（ｄ）に示す。ＴＦ１０２は、信号Ｓ１５３を、メモリ３０２と、乗算器１０５〜１０８とで構成されるディジタルフィルタ部分に出力する。
【００５９】
メモリ３０２に書き込まれた信号Ｓ１５３は、一時記憶された後、４つの読み出しポートからそれぞれ、７ｕｓ、１０ｕｓ、２０ｕｓの遅延で出力信号となるように制御されて読み出される。読み出された出力信号Ｓ３５２〜Ｓ３５５を図５（ｈ）、（ｊ）、（ｌ）、（ｎ）に示す。
【００６０】
また、乗算器１０５〜１０８の係数はそれぞれ１、１／２、１／４、０に設定する。従って乗算器１０５〜１０８に入力された信号Ｓ３５２〜Ｓ３５５は、それぞれ振幅が１、１／２、１／４、０倍にされ、信号Ｓ１５６〜Ｓ１５９として出力される。出力信号Ｓ１５６〜Ｓ１５９を図５（ｉ）、（ｋ）、（ｍ）、（ｏ）に示す。
【００６１】
また、信号Ｓ１５１を入力されるＴＦ１０３は、タップ係数設定により、図５（ｂ）に示す入力テレビジョン信号Ｓ１５１に重畳されている通常ゴースト３と同一振幅で逆位相の疑似ゴーストである振幅−２０ｄＢ、位相２７０°の疑似ゴーストを発生する。ＴＦ１０３で発生する疑似ゴースト信号Ｓ１５４を図５（ｅ）に示す。ＴＦ１０３は、信号Ｓ１５４を、メモリ３０３と、乗算器１０９〜１１０とで構成されるディジタルフィルタ部分に出力する。
【００６２】
メモリ３０３に書き込まれた信号Ｓ１５４は、一時記憶された後、２つの読み出しポートからそれぞれ、１５ｕｓ、２３ｕｓの遅延で出力信号となるように制御されて読み出される。読み出された出力信号Ｓ３５６〜Ｓ３５７を図５（ｐ）、（ｒ）に示す。
【００６３】
また、乗算器１０９〜１１０の係数はそれぞれ１、２に設定する。従って乗算器１０９〜１１０に入力された信号Ｓ３５６〜Ｓ３５７は、それぞれ振幅が１、２倍にされ、信号Ｓ１６０〜Ｓ１６１として出力される。出力信号Ｓ１６０〜Ｓ１６１を図５（ｑ）、（ｓ）に示す。それぞれ変換された信号Ｓ１６０〜Ｓ１６１は、加算器１１９で合成された上で加算器１２０に出力される。
【００６４】
加算器１２０では、入力テレビジョン信号Ｓ１５１と、疑似ゴースト信号１５５、疑似ゴースト信号Ｓ１５６〜Ｓ１５９の合成信号、疑似ゴースト信号Ｓ１６０、およびＳ１６１の合成信号を全て加算する。
【００６５】
すると、図５（ｂ）で示す入力テレビジョン信号Ｓ１５１の波形歪み１と近接ゴースト２は、疑似ゴースト信号Ｓ１５５と互いに打ち消し合う。これにより、入力テレビジョン信号Ｓ１５１の波形歪み１と近接ゴースト２を低減する。また、Ｓ１５１の通常ゴースト１とＳ１５６、通常ゴースト２とＳ１５７、および、通常ゴースト４とＳ１５８が各々互いに打ち消し合う。これにより、入力テレビジョン信号Ｓ１５１の通常ゴースト１、２、４を低減する。さらに、Ｓ１５１の通常ゴースト３とＳ１６０、および、通常ゴースト５とＳ１６１が各々互いに打ち消し合う。これにより、Ｓ１５１の通常ゴースト３、５を低減する。よって、Ｓ１５５〜Ｓ１６１の疑似ゴースト信号を、入力テレビジョン信号Ｓ１５１に加算することにより、波形歪みやゴーストを低減し、図５（ａ）に近いテレビジョン信号である、波形歪みやゴーストを低減した図５（ｔ）のテレビジョン信号Ｓ１６２を出力する。
【００６６】
本実施の形態３による波形等化装置についても、図１１に示した従来例の装置と同様の効果が得られる。
このように、本実施の形態３による波形等化装置では、プログラムによりタップ係数を設定可能なＴＦと、プログラムにより乗算係数を設定可能な乗算器と、信号を一時記憶し、入力と出力の間に適当な遅延時間を設定可能なメモリとを備えたことにより、実施の形態１の装置と同様に、１個のＴＦで発生した疑似ゴースト信号により、複数のゴーストを低減することができ、ＴＦのタップ数を削減し、コストを削減して、同等の効果を得ている。
【００６７】
なお、本実施の形態３における各種設定は一例であって、例示した値に限定されるものではなく、入力するテレビジョン信号により変更すべき点は実施の形態１と同様である。
【００６８】
実施の形態４．
本発明の実施の形態４による波形等化装置は、実施の形態１による装置に、さらに入力信号用の遅延素子を備えたものである。
図６は本実施の形態４における波形等化装置の構成を示すブロック図である。図６において、１０１〜１２０は図１と同じであり、その説明は実施の形態１と同様であるので省略する。５０１は、入力信号用遅延素子であり、入力テレビジョン信号を入力信号とし、プログラムにより設定された遅延時間だけ遅延させて加算器１２０に出力する。
【００６９】
図７は本実施の形態４の波形等化装置における信号を示す図である。縦横両軸や信号の表記については、実施の形態１の図２と同様である。
以下に、本実施の形態４の波形等化装置の動作を図６、及び７を用いて説明する。実施の形態１と同様、本来の図７（ａ）に示すゴーストや波形歪みのないテレビジョン信号が、伝送時にゴーストや波形歪みを付加され、図７（ｂ）に示すテレビジョン信号となり、装置に入力されるものとする。図７（ｂ）の波形歪みとゴーストは図２（ｂ）の波形歪みとゴーストと同じであり、各特性値としては実施の形態１の数値を用いる。
【００７０】
装置に入力された入力テレビジョン信号Ｓ１５１は、遅延素子５０１とＴＦ１０１〜１０３とに入力される。
信号Ｓ１５１を入力されるＴＦ１０１は、タップ係数設定により、図７（ｂ）に示す入力テレビジョン信号Ｓ１５１に重畳されている波形歪み１と近接ゴースト１、及び２に関し、同一振幅で逆位相、そして０．３５ｕｓ遅延した疑似ゴースト信号を発生する。ＴＦ１０１で発生する疑似ゴースト信号Ｓ１５２を図７（ｃ）に示す。ＴＦ１０１は信号Ｓ１５２を、乗算器１０４と、遅延素子１１１とで構成されるディジタルフィルタ部分に出力する。
【００７１】
乗算器１０４については係数を１に、遅延素子１１１については、遅延時間を０ｕｓに設定する。これにより、入力された信号Ｓ１５２は振幅、遅延時間とも変換を受けず、出力される信号Ｓ１５５はＴＦ１０１で発生した疑似ゴースト信号そのままとなり、図７（ｆ）に示す疑似ゴースト信号となる。信号Ｓ１５５は加算器１２０に出力される。
【００７２】
一方、信号Ｓ１５１を入力されるＴＦ１０２は、タップ係数設定により、図７７（ｂ）に示す入力テレビジョン信号Ｓ１５１に重畳されている通常ゴースト１と同一振幅で逆位相の疑似ゴーストである振幅−１５ｄＢ、位相１８０°の疑似ゴースト信号を発生する。ＴＦ１０２で発生する疑似ゴースト信号Ｓ１５３を図７（ｄ）に示す。ＴＦ１０２は、信号Ｓ１５３を、乗算器１０５〜１０８と、遅延素子１１２〜１１５とで構成されるディジタルフィルタ部分に出力する。
【００７３】
乗算器１０５〜１０８の係数をそれぞれ１、１／２、１／４、０に設定する。また、遅延素子１１２〜１１４の遅延時間をそれぞれ７．３５ｕｓ、１０．３５ｕｓ、２０．３５ｕｓに設定する。
【００７４】
ＴＦ１０２で発生した疑似ゴースト信号Ｓ１５３を入力信号とし、乗算器１０５から遅延素子１１２を経て出力される信号Ｓ１５６は、信号Ｓ１５３に対して振幅は不変とし、７．３５ｕｓ遅延させた信号なので、図７（ｇ）に示す疑似ゴースト信号となる。同様に、乗算器１０６から遅延素子１１３を経たＳ１５７は、Ｓ１５３に対し、振幅１／２倍、遅延１０．３５ｕｓの、図７（ｈ）に示す疑似ゴースト信号、乗算器１０７から遅延素子１１４を経たＳ１５８はＳ１５３に対し振幅１／４倍、遅延２０．３５ｕｓの、図７（ｉ）に示す疑似ゴースト信号である。乗算器１０８については、係数を０に設定しているため、Ｓ１５９は振幅０の信号となり、図７（ｊ）に示す信号となる。それぞれ変換された信号Ｓ１５６〜Ｓ１５８は、加算器１１８で合成された上で加算器１２０に出力される。
【００７５】
また、信号Ｓ１５１を入力されるＴＦ１０３は、タップ係数設定により、図７（ｂ）に示す入力テレビジョン信号Ｓ１５１に重畳されている通常ゴースト３と同一振幅で逆位相の疑似ゴーストである振幅−２０ｄＢ、位相２７０°の疑似ゴーストを発生する。ＴＦ１０３で発生する疑似ゴースト信号Ｓ１５４を図７（ｅ）に示す。ＴＦ１０３は、信号Ｓ１５４を、乗算器１０９〜１１０と、遅延素子１１６〜１１７とで構成されるディジタルフィルタ部分に出力する。
【００７６】
乗算器１０９〜１１０の係数をそれぞれ１、２に、遅延素子１１６〜１１７の遅延時間をそれぞれ１５．３５ｕｓ、２３．３５ｕｓに設定する。乗算器１０９から遅延素子１１６を経た信号はＳ１５４に対し、振幅が不変で、遅延１５．３５ｕｓの、図７（ｋ）に示す疑似ゴースト信号Ｓ１６０となる。乗算器１１０から遅延素子１１７を経た信号は、振幅が２倍で、遅延２３．３５ｕｓの、図７（ｌ）に示す疑似ゴースト信号Ｓ１６１となる。それぞれ変換された信号Ｓ１６０〜Ｓ１６１は、加算器１１９で合成された上で加算器１２０に出力される。
【００７７】
ＴＦ１０１〜１０３に入力された入力テレビジョン信号については、加算器１２０には、疑似ゴースト信号１５５、疑似ゴースト信号Ｓ１５６〜Ｓ１５９の合成信号、疑似ゴースト信号Ｓ１６０〜Ｓ１６１の合成信号が出力される。
【００７８】
実施の形態１の場合にはこれらの疑似ゴースト信号が入力テレビジョン信号Ｓ１５１と加算されるが、本実施の形態４の場合には遅延素子５０１からの出力信号と加算されることとなる。遅延素子５０１の遅延時間を０．３５ｕｓに設定したものとして、入力テレビジョン信号Ｓ１５１が０．３５ｕｓだけ遅延した信号Ｓ５５１（図７（ｍ））が遅延素子５０１から加算器１２０に出力される。
【００７９】
加算器１２０では、信号Ｓ５５１と、疑似ゴースト信号Ｓ１５５、疑似ゴースト信号Ｓ１５６〜Ｓ１５９の合成信号、疑似ゴースト信号Ｓ１６０、およびＳ１６１の合成信号を全て加算する。
【００８０】
すると、図７（ｍ）で示す信号Ｓ５５１の波形歪み１と近接ゴースト１、及び２は、疑似ゴースト信号Ｓ１５５と互いに打ち消し合う。これにより、信号Ｓ５５１の波形歪み１と近接ゴースト１、及び２を低減する。また、Ｓ５５１の通常ゴースト１とＳ１５６、通常ゴースト２とＳ１５７、および、通常ゴースト４とＳ１５８が各々互いに打ち消し合う。これにより、信号Ｓ５５１の通常ゴースト１、２、４を低減する。さらに、Ｓ５５１の通常ゴースト３とＳ１６０、および、通常ゴースト５とＳ１６１が各々互いに打ち消し合う。これにより、Ｓ５５１の通常ゴースト３、５を低減する。よって、Ｓ１５５〜Ｓ１６１の疑似ゴースト信号を、信号Ｓ５５１に加算することにより、波形歪みやゴーストを低減し、図７（ａ）に近いテレビジョン信号である、波形歪みやゴーストを低減した図７（ｎ）のテレビジョン信号Ｓ１６２を出力する。
【００８１】
このように、本実施の形態４による波形等化装置では、プログラムによりタップ係数を設定可能なＴＦと、プログラムにより乗算係数を設定可能な乗算器と、プログラムにより遅延時間を設定可能な遅延素子とを備えたことにより、実施の形態１の装置と同様に、１個のＴＦで発生した疑似ゴースト信号により、複数のゴーストを低減することができ、ＴＦのタップ数を削減し、コストを削減して、同等の効果を得ている。さらに、本実施の形態４の装置では、遅延素子５０１を備えて、基準となる入力テレビジョン信号を遅延させたテレビジョン信号Ｓ５５１を生成し、この信号Ｓ５５１に対して疑似ゴースト信号を加算することにより、実施の形態１の装置では対応することのできない負の遅延時間を持つゴーストをも低減可能としている。
【００８２】
本実施の形態４では、上述のように、ＴＦ１０１のタップ係数の設定により遅延させた疑似ゴーストを発生するものである。このことは、タップ数とタップのビット幅とで決定されるＴＦのカバー範囲（図７）を実質的に負の方向にシフトさせる処理となるので、正の方向に対するカバー範囲は上記シフト分狭くなることとなるが、通常、負の遅延時間を持つゴーストについてはあまり遅延時間が大きいものではないため、上記シフトの幅も小さく、従って正の方向のカバー範囲の減少も支障の出るほどのものとはならない。
【００８３】
なお、本実施の形態４では、実施の形態１の装置に、入力テレビジョン信号を遅延させる遅延素子をさらに備えた構成としたが、実施の形態２、または実施の形態３の装置において、かかる遅延素子をさらに備えたものとすることも可能であり、同様に負の遅延時間を持つゴーストを低減可能である。
また、本実施の形態４における各種設定は一例であって、例示した値に限定されるものではなく、入力するテレビジョン信号により変更すべき点は実施の形態１と同様である。
【００８４】
実施の形態５．
本発明の実施の形態５による波形等化装置は、実施の形態４による装置に、さらに入力信号用の乗算器を備えたものである。
図８は本実施の形態５における波形等化装置の構成を示すブロック図である。図８において、６０１は入力信号用乗算器であり、プログラムにより得られる係数を乗数として、入力テレビジョン信号の振幅を変更する。他は実施の形態４と同じである。
【００８５】
このように構成される本実施の形態５による波形等化装置の動作について、実施の形態４と異なる点のみを以下に説明する。
乗算器１０４の係数を２に、乗算器１０５〜１０８の係数をそれぞれ２、１、１／２、０に、そして、乗算器１０９〜１１０の係数を２、４に設定する。すなわち、本実施の形態５では、乗算器の係数設定はすべて実施の形態４の設定の２倍としているものである。
従って、各ＴＦ１０１〜１０３に入力され、その後乗算器と遅延素子によって処理され、加算器１２０に入力される疑似ゴースト信号Ｓ１５５からＳ１６１は、いずれも実施の形態４の場合と比較して、２倍の振幅を持った信号となる。
【００８６】
一方、入力信号用乗算器６０１については、係数を２に設定する。これにより、入力信号用遅延素子５０１から加算器１２０に出力される信号Ｓ５５１は、入力テレビジョン信号Ｓ１５１と比較して、０．３５ｕｓ遅延し、振幅が２倍となった信号である。すなわち、実施の形態４と比較して２倍の振幅を持った信号となっている。
【００８７】
加算器１２０において、これらが全て加算される結果、実施の形態４と同様、負の遅延時間を持つ近接ゴーストも含め、波形歪みやゴーストが打ち消し合って低減される。そして得られる出力テレビジョン信号Ｓ１６２は、実施の形態４と比べて、同様に波形歪みやゴーストが低減され、かつ、２倍の振幅を有するテレビジョン信号となる。
【００８８】
すなわち、本実施の形態５の波形等化装置は、設定により出力テレビジョン信号の振幅を変更するものであり、ゲインコントロール機能を有するものである。具体的には、本実施の形態５の波形等化装置により、入力信号の振幅によらず、出力信号の振幅を一定にするＡＧＣ（Auto Gain Controller）機能が実現される。このことから、本実施の形態５の装置により、波形等化処理を行う場合には、出力テレビジョン信号のゲイン調整のためのゲインコントローラを別途備える必要がなくなることから、テレビジョン受信機として、さらに装置規模の小型化によるコスト低減を図ることが可能となる。
【００８９】
なお、本実施の形態５の装置についても実施の形態４と同様、実施の形態２又は３の装置に基づいて、入力信号用遅延素子と、入力信号用乗算器とをさらに加えた構成とすることも可能であり、同様の効果が得られる。
また、入力テレビジョン信号が、先に入力信号用乗算器に入力されて振幅が変更され、その後入力信号用遅延素子に入力されて遅延処理されるものとすることも可能であり、同様の効果が得られる。
【００９０】
実施の形態６．
本発明の実施の形態６による波形等化装置は、実施の形態１による装置に、さらにディジタルフィルタを備えたものである。
図９は本実施の形態６における波形等化装置の構成を示すブロック図である。図９において、１０１〜１２０は図１と同じであり、その説明は実施の形態１と同様であるので省略する。７０１は、出力信号処理用ディジタルフィルタであり、テレビジョン信号を加工する各タップ係数が３ビットのものである。図１０は本実施の形態６の波形等化装置における信号を示す図である。縦横両軸や信号の表記については、実施の形態１の図２と同様である。
【００９１】
このように構成された本実施の形態６の波形等化装置の操作を以下に説明する。実施の形態１に示したと同じ入力テレビジョン信号Ｓ１５１が装置に入力されて、加算器１２０とＴＦ１０１〜１０３にそれぞれ入力される。本実施の形態６の装置での各種設定は実施の形態１と同じであったとして、加算器１２０において合成される信号Ｓ１６２は、図１０(c) のように、実施の形態１の装置における出力テレビジョン信号と同じ、ゴーストや波形歪みの低減されたものとなる。そして本実施の形態６の装置では、信号Ｓ１６２をそのまま装置からの出力信号とするのではなく、出力信号用ディジタルフィルタ７０１で処理してから出力するものである。出力信号用ディジタルフィルタ７０１は、図１０（ｃ）に示すテレビジョン信号Ｓ１６２に重畳されている通常ゴースト１、２、４、５の残留ゴーストに関し、同一振幅で逆位相の疑似ゴースト（図１０(d) ）を発生するようにタップ係数の設定を行う。これによって、本実施の形態６の装置では、波形歪みやゴーストをさらに低減し、図１０（ａ）に非常に近いテレビジョン信号である波形歪みやゴーストを低減した図１０（ｅ）のテレビジョン信号Ｓ７５１を出力する。
【００９２】
このように、本実施の形態６による波形等化装置では、実施の形態１の装置と同様に、１個のＴＦで発生した疑似ゴースト信号により、複数のゴーストを低減することができ、ＴＦのタップ数を削減し、コストを削減して、効率的にゴーストや波形歪みを低減可能なことに加えて、各タップ係数が８から１０ビット程度である従来の装置に用いられたディジタルフィルタより小規模な、各タップ係数３程度のディジタルフィルタにより、さらに残留ゴーストを除去して、画質の向上を図ることが可能となる。
【００９３】
なお、本実施の形態６では、実施の形態１の装置に、出力テレビジョン信号を処理するディジタルフィルタをさらに備えた構成としたが、実施の形態２、または実施の形態３の装置において、かかるディジタルフィルタをさらに備えたものとすることも可能であり、同様の効果が得られる。さらに、実施の形態４に示した、入力信号を遅延させる遅延素子をさらに備えた構成とすることも可能であり、同様に負の遅延時間を持つゴーストを低減可能である。
また、本実施の形態６における各種設定は一例であって、例示した値に限定されるものではなく、入力するテレビジョン信号により変更すべき点は実施の形態１と同様である。
さらに、実施の形態１〜６の波形等化装置について、従来の装置の説明と同様に、タップ係数や遅延素子、乗算器の係数設定等行う制御部を有するものであるが、本発明の主眼ではないので、いずれの実施の形態においても省略した。
【００９４】
【発明の効果】
本発明の請求項１の波形等化装置によれば、テレビジョン信号を入力し、波形等化処理を行って出力する波形等化装置において、プログラムによりタップ係数を設定可能であり、上記設定されたタップ係数によって入力テレビジョン信号を加工する、複数のトランスバーサルフィルタと、上記複数の各トランスバーサルフィルタの出力する信号を入力信号とし、該入力信号の振幅を変更して出力する、複数の乗算器と、上記複数の乗算器の出力する信号を入力信号とし、該入力信号を遅延させて出力する、複数の遅延素子と、上記入力テレビジョン信号と、上記複数の遅延素子の出力する信号とを加算して、出力テレビジョン信号を生成する加算手段とを備え、上記乗算器の数と上記遅延素子の数は、同数であり、上記トランスバーサルフィルタの数は、上記乗算器及び上記遅延素子の数より少ないものとしたことで、１個のトランスバーサルフィルタで発生した信号を変換して、入力テレビジョン信号に重畳された複数のゴーストに対応させるので、効率的な信号処理により画質改善機能を損なわずに装置規模を小型化でき、コスト削減を図ることが可能となる。また、トランスバーサルフィルタの発生する信号に対して振幅変更処理と遅延処理とを施して複数の疑似ゴーストとし、効率的な信号処理により良好な画質改善機能を保ちつつコスト削減を図ることを可能とする。さらに、波形等化装置の回路規模の大部分を占めるトランスバーサルフィルタの数を少なくすることができ、装置規模の小型化によりコスト削減を図ることができる。
【００９７】
請求項２の波形等化装置によれば、テレビジョン信号を入力し、波形等化処理を行って出力する波形等化装置において、プログラムによりタップ係数を設定可能であり、上記設定されたタップ係数によって入力テレビジョン信号を加工する、複数のトランスバーサルフィルタと、上記複数の各トランスバーサルフィルタの出力する信号を入力信号とし、該入力信号を遅延させて出力する、複数の遅延素子と、上記複数の遅延素子の出力する信号を入力信号とし、該入力信号の振幅を変更して出力する、複数の乗算器と、上記入力テレビジョン信号と、上記複数の乗算器の出力する信号とを加算して、出力テレビジョン信号を生成する加算手段とを備え、上記遅延素子の数と上記乗算器の数は、同数であり、上記トランスバーサルフィルタの数は、上記遅延素子及び上記乗算器の数より少ないものとしたことで、１個のトランスバーサルフィルタで発生した信号を変換して、入力テレビジョン信号に重畳された複数のゴーストに対応させるので、効率的な信号処理により画質改善機能を損なわずに装置規模を小型化でき、コスト削減を図ることが可能となる。また、トランスバーサルフィルタの発生する信号に対して遅延処理と振幅変更処理とを施して複数の疑似ゴーストとし、効率的な信号処理により良好な画質改善機能を保ちつつコスト削減を図ることを可能とする。
【００９８】
請求項３の波形等化装置によれば、テレビジョン信号を入力し、波形等化処理を行って出力する波形等化装置において、プログラムによりタップ係数を設定可能であり、上記設定されたタップ係数によって入力テレビジョン信号を加工する、複数のトランスバーサルフィルタと、読出しアドレスを独自に設定できる読出しポートを複数持ち、上記複数の各トランスバーサルフィルタの出力する信号を入力して記憶する、複数の信号記憶手段と、上記複数の各信号記憶手段のいずれかの読出しポートより読み出した信号を入力信号とし、該入力信号の振幅を変更して出力可能な複数の乗算器と、上記入力テレビジョン信号と、上記複数の乗算器の出力する信号とを加算して、出力テレビジョン信号を生成する加算手段とを備え、上記トランスバーサルフィルタの数は、上記信号記憶手段と同数であって、上記乗算器の数より少ないものとしたことで、１個のトランスバーサルフィルタで発生した信号を、乗算器と記憶手段とにより変換処理して、複数のゴーストを低減するための疑似ゴーストとし、効率的な信号処理により良好な画質改善機能を保ちつつコスト削減を図ることを可能とする。
【００９９】
請求項４の波形等化装置によれば、請求項１ないし３のいずれかに記載の装置において、上記乗算器が、プログラムにより係数を設定可能であり、上記設定された係数により、入力信号の振幅を変更するものとしたことで、トランスバーサルフィルタの発生する信号より複数の疑似ゴースト信号を発生させるために、設定に従った振幅変更処理を行い、効率的な信号処理によって良好な画質改善機能を保ちつつコスト削減を図ることを可能とする。
【０１００】
請求項５の波形等化装置によれば、請求項１または２に記載の装置において、上記遅延素子が、プログラムにより遅延時間を設定可能であり、上記設定された遅延時間により、入力信号を遅延させるものとしたことで、トランスバーサルフィルタの発生する信号より複数の疑似ゴースト信号を発生させるために、設定に従った遅延処理を行い、効率的な信号処理により良好な画質改善機能を保ちつつコスト削減を図ることを可能とする。
【０１０１】
請求項６の波形等化装置によれば、請求項１に記載の装置において、上記入力テレビジョン信号を変換する入力信号変換手段をさらに備え、上記加算手段が、上記入力信号変換手段の出力と、上記複数の遅延素子の出力とを加算して、出力テレビジョン信号を生成するものとしたことで、変換処理を施した入力テレビジョン信号に対して波形等化処理を行い、効率的な信号処理によりコスト削減を可能とすることに加え、より柔軟な信号処理機能を付加することを可能とする。
また、請求項７にかかる波形等化装置は、請求項２または３に記載の波形等化装置において、上記入力テレビジョン信号を変換する入力信号変換手段をさらに備え、上記加算手段は、上記入力信号変換手段の出力と、上記複数の乗算器の出力とを加算して、出力テレビジョン信号を生成するものとしたことで、変換処理を施した入力テレビジョン信号に対して波形等化処理を行い、効率的な信号処理によりコスト削減を可能とすることに加え、より柔軟な信号処理機能を付加することを可能とする。
【０１０２】
請求項８の波形等化装置によれば、請求項６または７に記載の装置において、上記入力信号変換手段が、入力テレビジョン信号を入力信号とし、該入力信号を遅延させて出力する入力信号用遅延素子を備えたものとしたことで、遅延処理した入力テレビジョン信号に対して波形等化処理を行い、効率的な信号処理によりコスト削減を可能とすることに加え、負の遅延時間を有するゴーストの除去も可能として、画質改善機能を向上するものである。
【０１０３】
請求項９の波形等化装置によれば、請求項６または７に記載の装置において、上記入力信号変換手段が、上記入力テレビジョン信号を入力信号とし、該入力信号の振幅を変更して出力する入力信号用乗算器を備えたものとしたことで、振幅を変更した入力テレビジョン信号に対して波形等化処理とゲインコントロールを行い、効率的な信号処理により波形等化装置としてのコスト削減を可能とすることに加え、別途ゲインコントローラーを備える必要がないことから、テレビジョン受信機としてさらなるコスト削減を図ることができる。
【０１０４】
請求項１０の波形等化装置によれば、請求項６または７に記載の装置において、上記入力信号変換手段が、入力信号の振幅を変更して出力する入力信号用乗算器と、入力信号を遅延させて出力する入力信号用遅延素子とを備えたものとしたことで、遅延処理と振幅変更処理とをした入力テレビジョン信号に対して波形等化処理とゲインコントロールとを行い、効率的な信号処理により波形等化装置としてのコスト削減を可能とすることに加え、負の遅延時間を有するゴーストを除去して画質改善機能を向上し、かつ、別途ゲインコントローラーを備える必要がないことから、テレビジョン受信機としてさらなるコスト削減を図ることができる。
【０１０５】
請求項１１の波形等化装置によれば、請求項１０に記載の装置において、上記入力信号用乗算器が、上記入力テレビジョン信号を入力信号とし、該入力信号の振幅を変更して出力するものであり、上記入力信号用遅延素子が、上記入力信号用乗算器の出力する信号を入力信号とし、該入力信号を遅延させて出力するものとしたことで、入力テレビジョン信号に対して振幅変更処理の後に遅延処理を行い、ゲインコントロール機能と負の遅延時間を有するゴーストの除去とを可能とする。
【０１０６】
請求項１２の波形等化装置によれば、請求項１０に記載の装置において、上記入力信号用遅延素子が、上記入力テレビジョン信号を入力信号とし、該入力信号を遅延させて出力するものであり、上記入力信号用乗算器が、上記入力信号用遅延素子の出力する信号を入力信号とし、該入力信号の振幅を変更して出力するものとしたことで、入力テレビジョン信号に対して遅延処理の後に振幅変更処理を行い、負の遅延時間を有するゴーストの除去とゲインコントロール機能とを可能とする。
【０１０７】
請求項１３の波形等化装置によれば、請求項８、１０、１１、あるいは１２のいずれかに記載の装置において、上記入力信号用遅延素子が、プログラムにより遅延時間を設定可能であり、上記設定された遅延時間により、入力信号を遅延させるものとしたことで、入力テレビジョン信号に遅延処理を行い、負の遅延時間を有するゴーストを除去可能とするものである。
【０１０８】
請求項１４の波形等化装置によれば、請求項９、１０、１１、あるいは１２のいずれかに記載の装置において、上記入力信号用乗算器が、プログラムにより係数を設定可能であり、上記設定された係数により、入力信号の振幅を変更するものとしたことで、入力テレビジョン信号に振幅変更処理を行い、ゲインコントロール機能を実現する。
【０１０９】
請求項１５の波形等化装置によれば、請求項１ないし１４のいずれかに記載の装置において、上記加算手段の出力する出力テレビジョン信号を入力信号とし、該入力信号に対して波形等化処理を行って出力する出力信号用ディジタルフィルタをさらに備えたものとしたことで、上記効率的な波形等化処理の後に残留するゴーストを、小規模な出力信号用ディジタルフィルタを用いた信号処理によって除去し、画質向上機能をさらに向上できるものである。
【図面の簡単な説明】
【図１】本発明の実施の形態１による波形等化装置の構成を示すブロック図である。
【図２】上記実施の形態１の波形等化装置を用いた処理を説明するための図である。
【図３】本発明の実施の形態２による波形等化装置の構成を示すブロック図である。
【図４】本発明の実施の形態３による波形等化装置の構成を示すブロック図である。
【図５】上記実施の形態３の波形等化装置を用いた処理を説明するための図である。
【図６】本発明の実施の形態４による波形等化装置の構成を示すブロック図である。
【図７】上記実施の形態４の波形等化装置を用いた処理を説明するための図である。
【図８】本発明の実施の形態５による波形等化装置の構成を示すブロック図である。
【図９】本発明の実施の形態６による波形等化装置の構成を示すブロック図である。
【図１０】上記実施の形態６の波形等化装置を用いた処理を説明するための図である。
【図１１】従来の技術による波形等化装置の構成を示すブロック図である。
【図１２】上記従来の波形等化装置を用いた処理を説明するための図である。
【図１３】ゴースト除去を説明するための図である。
【符号の説明】
１０１〜１０３、９０１  トランスバーサルフィルタ
１０４〜１１０、６０１  乗算器
１１１〜１１７、５０１  遅延素子
１１８〜１２０、９０３  加算器
３０１〜３０３  メモリ
７０１、９０２  ディジタルフィルタ
Ｓ１５１、Ｓ９２１  入力テレビジョン信号
Ｓ１５２〜Ｓ１６１、Ｓ３５１〜Ｓ３５７、Ｓ５５１、Ｓ９２２、Ｓ９２３
テレビジョン信号
Ｓ１６２、Ｓ７５１、Ｓ９２４  出力テレビジョン信号
【図１】
0004472792.tif 000002
【図２】
0004472792.tif 000003
【図３】
0004472792.tif 000004
【図４】
0004472792.tif 000005
【図５】
0004472792.tif 000006
【図６】
0004472792.tif 000007
【図７】
0004472792.tif 000008
【図８】
0004472792.tif 000009
【図９】
0004472792.tif 000010
【図１０】
0004472792.tif 000011
【図１１】
0004472792.tif 000012
【図１２】
0004472792.tif 000013
【図１３】
0004472792.tif 000014